【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
部分的に蒸発した作動流体を中に含む単一の内部空洞を有する中空体であって、該中空体が、凹部を備える上面を有し、該凹部が、複数の試料受け口を受け入れて、その結果、該凹部を該試料受け口の裏面と直接的かつ連続的に接触する状態に置くように、間隔が空けられかつ形作られ、該中空体が、該空洞の壁部と全ての該試料受け口の壁部との間に伝導性熱伝達を生じるように配置されている、中空体と、
該作動流体の蒸発および凝縮を生じるための、該空洞内における、該作動流体を制御可能に加熱するための一又は複数の素子、該作動流体を冷却するための一又は複数の素子、またはその両方の素子であって、該中空体の下または側部にある、素子と
を備える、試料受け口のアレイにおけるサーマルサイクルのための装置。
【請求項２】
前記試料受け口が、ウェルを連結するデッキ部分をさらに備えるマルチウェルプレートのウェルであり、該ウェルが該デッキ部分から下方向に延びる裏面を有し、前記中空体が、前記空洞の壁部と該ウェルの該裏面との間に伝導性熱伝達を生じるように配置されている、請求項1記載の装置。
【請求項３】
前記試料受け口がマイクロ流体デバイスのチャネルである、請求項1記載の装置。
【請求項４】
マルチウェルプレートと前記中空体との間に介挿された熱伝導性中間プレートをさらに備え、該中間プレートが、凹部を備える上面を有し、該凹部が、ウェルを受け入れるように、かつその際に該ウェルの裏面と直接的かつ連続的に接触するように、間隔が空けられかつ形作られ、該中間プレートが、該中空体と伝導性熱伝達接触状態にある、請求項2記載の装置。
【請求項５】
反応ウェルの裏面の形状が円錐形または円錐台形のいずれかである、請求項2記載の装置。
【請求項６】
前記中空体の内部空洞が、実質的に平坦な床を有し、前記凹部が、該空洞の内部に、該平坦な床と接触する裏面を有する、請求項1記載の装置。
【請求項７】
凝縮された作動流体の、空洞の表面上での分散を促進するために、空洞内にウィッキング手段をさらに備える、請求項1記載の装置。
【請求項８】
前記作動流体を制御可能に加熱するための素子が抵抗加熱器を含む、請求項1記載の装置。
【請求項９】
前記作動流体を制御可能に加熱するための素子、該作動流体を冷却するための素子、またはその両方の素子が、熱電式モジュールを含む、請求項1記載の装置。
【請求項１０】
前記作動流体を制御可能に加熱するための素子が抵抗加熱器を含み、かつ該作動流体を冷却するための素子が熱電式モジュールを含む、請求項1記載の装置。
【請求項１１】
熱電式モジュールが、制御可能な熱的結合によって前記中空体に熱的に結合されている、請求項9記載の装置。
【請求項１２】
制御可能な熱的結合が強磁性流体である、請求項11記載の装置。
【請求項１３】
制御可能な熱的結合が、前記素子と前記中空体との間に介挿された熱伝達流体の本体と、熱伝達流体の該本体を上昇および下降させる手段とを備える、請求項11記載の装置。
【請求項１４】
制御可能な熱的結合が、前記素子と前記中空体との間に介挿された熱伝達液の本体と、熱伝達液を該中空体に向かって噴霧するための手段とを備える、請求項11記載の装置。
【請求項１５】
事前に選択された温度シーケンスを通じた、複数の反応混合物のサーマルサイクルのための方法であって、
(a)該反応混合物を、複数受け口試料プレートの個々の試料受け口に入れる工程；
(b)単一の内部空洞の壁部と全ての該試料受け口の壁部との間の伝導性熱伝達を促進するために、該複数受け口試料プレートを、部分的に蒸発した作動流体を中に含む単一の内部空洞を有する中空体との熱的接触状態に置く工程；および
(c)該事前に選択された温度シーケンスを該反応混合物において達成するために選択されたタイミングシーケンスおよび温度プロトコルに従って該作動流体を蒸発および凝縮させるために、それぞれ、該作動流体を加熱および冷却する工程
を含む、前記方法。
【請求項１６】
前記試料プレートが、前記試料受け口を連結するデッキ部分をさらに備え、前記反応ウェルが、該デッキ部分から下方向に延びる裏面を有し、前記中空体が、該反応ウェルを受け入れるように間隔が空けられかつ形作られている凹部を有すると同時に、該反応ウェルの該裏面との直接的かつ連続的な接触を提供し、該中空体が、前記作動流体の蒸発および凝縮を生じるために、前記空洞内で、制御可能に、該作動流体を加熱、該作動流体を冷却、またはその両方を行い、工程(b)が、該直接的かつ連続的な接触を達成するために、マルチウェルプレートを該中空体と接触する状態に置くことを含む、請求項15記載の方法。
【請求項１７】
工程(c)が、制御可能な熱的結合により前記中空体に接触している熱電式モジュールによって作動流体を冷却することを含む、請求項15記載の方法。
【請求項１８】
前記中空体が床を有する方法であって、凝縮された作動流体を、該作動流体を冷却する際にウィッキング手段によって該床に向けて吸引する工程をさらに含む、請求項15記載の方法。
【請求項１９】
試料プレートと前記中空体との間に熱伝導性中間プレートを介挿する工程をさらに含み、該中間プレートが、試料受け口の裏面および該中空体の両方との直接的かつ連続的な接触を提供する、請求項15記載の方法。
【請求項２０】
前記内部空洞の下面が実質的に平坦であり、前記凹部が、該空洞の内部に、該平坦な下面と接触する裏面を有する、請求項16記載の方法。
【請求項２１】
前記素子が、前記中空体の下にある、請求項1記載の装置。
【手続補正２】
【補正対象書類名】明細書
【補正対象項目名】０００９
【補正方法】変更
【補正の内容】
【０００９】
[本発明1001]
複数の試料受け口を備える試料プレートと、
部分的に蒸発した作動流体を中に含む単一の内部空洞を有する中空体であって、該空洞の壁部と全ての該試料受け口の壁部との間に伝導性熱伝達を生じるように配置されている、中空体と、
該作動流体の蒸発および凝縮を生じるための、該空洞内における、該作動流体を制御可能に加熱するための手段、該作動流体を冷却するための手段、またはその両方と
を備える、試料受け口のアレイにおけるサーマルサイクルのための装置。
[本発明1002]
前記試料受け口が、ウェルを連結するデッキ部分をさらに備えるマルチウェルプレートのウェルであり、該ウェルが該デッキ部分から下方向に延びる裏面を有し、前記中空体が、前記空洞の壁部と該ウェルの該裏面との間に伝導性熱伝達を生じるように配置されている、本発明1001の装置。
[本発明1003]
前記試料受け口がマイクロ流体デバイスのチャネルである、本発明1001の装置。
[本発明1004]
前記中空体が、凹部を備える上面を有し、該凹部が、ウェルを受け入れるように、したがって該凹部を該ウェルの裏面と直接的かつ連続的に接触する状態に置くように、間隔が空けられかつ形作られている、本発明1002の装置。
[本発明1005]
マルチウェルプレートと前記中空体との間に介挿された熱伝導性中間プレートをさらに備え、該中間プレートが、凹部を備える上面を有し、該凹部が、ウェルを受け入れるように、かつその際に該ウェルの裏面と直接的かつ連続的に接触するように、間隔が空けられかつ形作られ、該中間プレートが、該中空体と伝導性熱伝達接触状態にある、本発明1002の装置。
[本発明1006]
反応ウェルの裏面の形状が円錐形または円錐台形のいずれかである、本発明1002の装置。
[本発明1007]
前記中空体の内部空洞が、実質的に平坦な床を有し、前記凹部が、該空洞の内部に、該平坦な床と接触する裏面を有する、本発明1004の装置。
[本発明1008]
凝縮された作動流体の、空洞の表面上での分散を促進するために、空洞内にウィッキング手段をさらに備える、本発明1001の装置。
[本発明1009]
前記作動流体を制御可能に加熱するための手段が抵抗加熱器を含む、本発明1001の装置。
[本発明1010]
前記作動流体を制御可能に加熱するための手段、該作動流体を冷却するための手段、またはその両方が、熱電式モジュールを含む、本発明1001の装置。
[本発明1011]
前記作動流体を制御可能に加熱するための手段が抵抗加熱器を含み、かつ該作動流体を冷却するための手段が熱電式モジュールを含む、本発明1001の装置。
[本発明1012]
熱電式モジュールが、制御可能な熱的結合によって前記中空体に熱的に結合されている、本発明1010の装置。
[本発明1013]
制御可能な熱的結合が強磁性流体である、本発明1012の装置。
[本発明1014]
制御可能な熱的結合が、冷却素子と前記中空体との間に介挿された熱伝達流体の本体と、熱伝達流体の該本体を上昇および下降させる手段とを備える、本発明1012の装置。
[本発明1015]
制御可能な熱的結合が、冷却素子と前記中空体との間に介挿された熱伝達液の本体と、熱伝達液を該中空体に向かって噴霧するための手段とを備える、本発明1012の装置。
[本発明1016]
事前に選択された温度シーケンスを通じた、複数の反応混合物のサーマルサイクルのための方法であって、
(a)該反応混合物を、複数受け口試料プレートの個々の試料受け口に入れる工程；
(b)単一の内部空洞の壁部と全ての該試料受け口の壁部との間の伝導性熱伝達を促進するために、該複数受け口試料プレートを、部分的に蒸発した作動流体を中に含む単一の内部空洞を有する中空体との熱的接触状態に置く工程；および
(c)該事前に選択された温度シーケンスを該反応混合物において達成するために選択されたタイミングシーケンスおよび温度プロトコルに従って該作動流体を蒸発および凝縮させるために、それぞれ、該作動流体を加熱および冷却する工程
を含む、前記方法。
[本発明1017]
試料プレートが、前記試料受け口を連結するデッキ部分をさらに備え、反応ウェルが、該デッキ部分から下方向に延びる裏面を有し、前記中空体が、該反応ウェルを受け入れるように間隔が空けられかつ形作られている凹部を有すると同時に、該反応ウェルの該裏面との直接的かつ連続的な接触を提供し、工程(b)が、該直接的かつ連続的な接触を達成するために、マルチウェルプレートを該中空体と接触する状態に置くことを含む、本発明1016の方法。
[本発明1018]
工程(c)が、制御可能な熱的結合により前記中空体に接触している熱電式モジュールによって作動流体を冷却することを含む、本発明1016の方法。
[本発明1019]
前記中空体が床を有する方法であって、凝縮された作動流体を、該作動流体を冷却する際にウィッキング手段によって該床に向けて吸引する工程をさらに含む、本発明1016の方法。
[本発明1020]
試料プレートと前記中空体との間に熱伝導性中間プレートを介挿する工程をさらに含み、該中間プレートが、試料受け口の裏面および該中空体の両方との直接的かつ連続的な接触を提供する、本発明1016の方法。
[本発明1021]
前記内部空洞の下面が実質的に平坦であり、前記凹部が、該空洞の内部に、該平坦な下面と接触する裏面を有する、本発明1017の方法。
これらの構成およびさらなる変法については、下記においてより詳細に説明する。